(57)【要約】      （修正有）【課題】立礼席の使用感を維持，あるいはさらに向上させつつ，安価に使い捨てることができる立礼席を提供する。【解決手段】垂直材・水平材を一体形成するＬ形部を持つ板状段ボール製の脚部部材複数枚を地面に対して板厚方向が地面と平行となるように立てて使用し、各脚部部材の垂直材となる箇所において平面視で２部材が互いに直交するように垂直方向上下から嵌め合わせ接合し、同様の方法で互いに水平材を介して接続する形で４カ所以上の垂直材部を構成した脚部１２、茶事に使用する各種道具を載置する天板部、脚部と天板部の間に、各脚部部材同士を水平方向につなぎ合わせるように嵌め合わせる板状段ボール製の中間部を有することを特徴とする使い捨て立礼席。【選択図】図１
2020182546.tif 000002
【特許請求の範囲】
【請求項１】
垂直材・水平材を一体形成するL形部を持つ板状段ボール製の脚部部材複数枚を地面に対して板厚方向が地面と平行となるように立てて使用し、各脚部部材の垂直材となる箇所において平面視で２部材が互いに直交するように垂直方向上下から嵌め合わせ接合し、同様の方法で互いに水平材を介して接続する形で４カ所以上の垂直材部を構成した脚部、茶事に使用する各種道具を載置する天板部、脚部と天板部の間に、各脚部部材同士を水平方向につなぎ合わせるように嵌め合わせる板状段ボール製の中間部を有することを特徴とする使い捨て立礼席。
【請求項２】
前記中間部は、脚部の水平面内方向の変形を抑え、平面視で脚部側縁より外側に張り出すとともに、平面視における脚部位置によって定まる適切な箇所で複数部分に分割することが可能で、かつ脚部位置とは無関係な任意の箇所で分割可能な天板部の各パーツを支持する天板部支持台としての役割を有することを特徴とする「請求項１」記載の使い捨て立礼席。
【請求項３】
前記の天板部は、上面に畳に擬する合成樹脂製床シート材からなる茶事に使用する道具を載置する畳部を持つことを特徴とする「請求項２」記載の使い捨て立礼席。
【請求項４】
前記脚部、中間部、天板部は、前記脚部を構成する垂直材・水平材を一体形成するL形部を持つ板状段ボール製の脚部部材の使用状態での上端に設けた凸部を、中間部に貫穿された貫通孔に嵌通し、さらに天板部下面に設けた凹欠部に嵌入するか、あるいはその他の接合方法で中間部と天板部を固定することで、これらを互いに固定する接合部を有することを特徴とする「請求項１」乃至「請求項３」のいずれか一項に記載の使い捨て立礼席。
【請求項５】
前記接合部は、中間部に貫穿された貫通孔及び天板部に設けた凹欠部を、平面視で脚部に設けられた凸部より、凸部の板厚方向に若干小さい形状とすることで、凸部の板厚方向の弾性力を利用した摩擦接合となり嵌脱可能となる特徴を有する「請求項４」記載の使い捨て立礼席。
【請求項６】
前記天板部は、畳に擬する合成樹脂製床シート材の１以上の端部に畳縁が添着していることを特徴とする「請求項３」乃至「請求項５」のいずれか一項に記載の使い捨て立礼席。
【請求項７】
前記の脚部、中間部、天板部に組み合わせて使い捨て立礼席を構成する為の、縦の幅が凡そ椅子座面高さになる横方向に長い板状段ボールを縦に４カ所谷折りし形成する略四角形の閉断面を持つ椅子脚部と、椅子脚部の上端に接し椅子座面部からの荷重を椅子脚部に伝える段ボールに比較して材料強度が高い木材や合成樹脂製の椅子台座部、椅子台座部の下面に凸接した、椅子脚部内側に嵌脱可能な状態で挿嵌し、脚部断面が平行四辺形に変形することを防止するとともに、同時に椅子台座部の水平方向の位置を固定する椅子接合部を持つ椅子を有することを特徴とする「請求項１」乃至「請求項６」のいずれか一項に記載の使い捨て立礼席。
【請求項８】
前記椅子は、椅子座面部に「請求項３」と同じ畳に擬する長尺床材シートを有することを特徴とする「請求項７」記載の使い捨て立礼席。
【請求項９】
前記の脚部、中間部、天板部、椅子に組み合わせて使い捨て立礼席を構成する為の、縦方向が床面から金属製炉壇外周のフランジ部の下面までの高さとなる横方向に長い板状段ボールを縦に４カ所谷折りし略四角形の閉断面を形成した筒状の炉壇支持台と、前記の脚部とともに炉壇支持台とも嵌め合わせ接合し、その中央部の天端と炉壇支持台の天端を揃えることで、炉壇支持台とともに金属製炉壇外周のフランジ部を介して金属製炉壇全体を支え垂直位置を固定し、両端の凸部により金属製炉壇と炉縁の水平位置を固定する、横長板状段ボールを板厚方向が地面と水平になるように４枚垂直に立てた状態で井桁状に組んだ炉設置部構成材を有する炉設置部を有することを特徴とする「請求項１」乃至「請求項８」のいずれか一項に記載の使い捨て立礼席。
【請求項１０】
前記の脚部、中間部、天板部、椅子に組み合わせて使い捨て立礼席を構成する為の、「請求項９」の炉設置部構成材に代えて、脚部の同位置に嵌め合わせ接合し、上端を天板部下面に接することで天板部を支える、横長板状段ボールを板厚方向が地面と水平になるように４枚垂直に立てた状態で井桁状に組んだ井桁状天板支持部材を有することを特徴とする「請求項１」乃至「請求項９」のいずれか一項に記載の使い捨て立礼席。
【請求項１１】
前記の脚部、中間部、天板部、椅子に組み合わせて使い捨て立礼席を構成する為の、「請求項９」記載の炉設置部とともに「請求項１０」記載の井桁状天板支持部を有することを特徴とする「請求項１」乃至「請求項８」のいずれか一項に記載の使い捨て立礼席。
【請求項１２】
前記の脚部、中間部、天板部、椅子脚部、炉設置部、井桁状天板支持部の素材は、それぞれ、一枚の単層段ボールまたは積層段ボール、あるいはそれらを複数枚重ねるか貼り合わせた物、または、段ボール小片を貼り合わせ集成材とした物であることを特徴とする「請求項１」乃至「請求項１１」のいずれか一項に記載の使い捨て立礼席。
【請求項１３】
「請求項１」乃至「請求項１２」のいずれか一項に記載の使い捨て立礼席であって、段ボールの代わりにプラスチック製段ボールを素材とした使い捨て立礼席。
【請求項１４】
「請求項９」、「請求項１１」記載の使い捨て立礼席であって、炉設置部と組み合わせて使用する金属製炉壇と炉縁を有する使い捨て立礼席。
【請求項１５】
「請求項１」乃至「請求項１４」のいずれか一項に記載の使い捨て立礼席であって、その他茶事に必要な物を組み合わせて販売すること特徴とする使い捨て立礼席。
【請求項１６】
「請求項１」乃至「請求項１５」のいずれか一項に記載の使い捨て立礼席であって、茶事での利用に代えて、使い捨て立礼席が有する茶事用具としての雰囲気とテーブルと椅子の機能を利用する使用法を特徴とする使い捨て立礼席。
【請求項１７】
「請求項１」乃至「請求項１６」のいずれか一項に記載の使い捨て立礼席であって、企業名または製品名が入った段ボール、あるいはプラスチック製段ボールを使用し、茶事の雰囲気とあわせて広告用途に使用することを特徴とする使い捨て立礼席。
【請求項１８】
「請求項７」乃至「請求項１７」のいずれか一項に記載の使い捨て立礼席であって、脚部、中間部、天板部に代えて、既存の卓子を組み合わせることを特徴とする使い捨て立礼席。
【請求項１９】
「請求項７」乃至「請求項１７」のいずれか一項に記載の使い捨て立礼席であって、脚部、中間部、天板部の畳部以外の部材に代えて、既存の卓子を組み合わせることを特徴とする使い捨て立礼席。
【請求項２０】
「請求項７」乃至「請求項１９」のいずれか一項に記載の使い捨て立礼席を構成する為の各部材であって、組立状態か未組立状態かを問わず任意の部材組み合わせで販売されることを特徴とする使い捨て立礼席。
【請求項２１】
「請求項７」乃至「請求項１９」のいずれか一項に記載の使い捨て立礼席を構成する為の各部材であって、任意の部材組み合わせに対応する設計図あるいは電子化された設計図を含むコンピュータに読み取り可能な記録媒体。
【請求項２２】
「請求項１」乃至「請求項４」、「請求項６」乃至「請求項１２」、「請求項１４」乃至「請求項２１」のいずれか一項に記載の使い捨て立礼席であって、段ボール素材に代えて、安価な木材や合成樹脂材を使用することで耐久性を増し、使い捨てるまでの使用期間を長期化したことを特徴とする使い捨て立礼席。
【請求項２３】
「請求項１」乃至「請求項２２」のいずれか一項に記載の使い捨て立礼席であって、茶事の開催とは無関係に、安価に使い捨てることが出来る性能と、テーブル、椅子、炉の機能を積極的に利用することを特徴とする使い捨て立礼席。
【発明の詳細な説明】
【技術分野】
【０００１】
本発明は使い捨て立礼席に関するものである。
【背景技術】
【０００２】
従来伝統的な茶事は、茶室において主人と客人が畳の上に同座した状態で行う座式の点前によって行われてきたが、明治時代以降、立礼式と呼ばれる主人と客人、または客人のみが椅子に腰掛けた状態で行う点前が考案され、従来の茶事の形式を採らない簡略化された形式の茶事が普及し、それにあわせて、立礼式の点前に使用する各種の道具を載置し、また、なかには炉を設置可能とする多種多様な卓子や椅子をもつ立礼席とよばれる茶事空間を構成する茶事用具がつくられてきた。そして現在に至るまでに、椅子に腰掛けた状態で点前を行う立礼式でありながら、座式に近い点前で伝統的な茶事の開催を可能とする、点前に使用する各種の道具を載置する部分を畳または畳表で構成し、主人が点前をする空間である点前座と客が座す空間である客座を一体化させることで茶室における主人と客人が同座する状態を再現する比較的大型の卓子や椅子をもつ立礼席のニーズがあり、これも製品化された。
【０００３】
後者の立礼席を構成する比較的大型の卓子については、上部に畳が設置された基台を床から一定の高さに固定し、主人と、主人と対面する客との間に、平面視で約２平米から４平米程度の大きさで適切に基台が配置されるように、基台の数とその平面視での形状を任意に定め、さらに炉を設置するスペースをくり抜いた基台を有するものが従来技術として知られている（例えば特許文献１）。
【先行技術文献】
【特許文献】
【０００４】
【特許文献１】特開平８―１８７１７７号公報
【特許文献２】実用新案登録第３１５４２６６号公報
【特許文献３】特開平１０−０８０３２５号公報
【特許文献４】特開２０００―６０６５３
【特許文献５】特開２００３―１５３８０７
【特許文献６】特開平１１―１７８６４５号公報
【特許文献７】公開実用 昭和５１−９５５０２
【特許文献８】実用新案全文昭５０ー０３３１０２号
【特許文献９】公開実用新案広報(U) 昭６３−１４３８
【特許文献１０】登録実用新案公報(U)  実用新案登録第３１５７８０３号
【特許文献１１】特開平１０−２４８８８８
【特許文献１２】公開実用新案広報(U) 昭６１−５２９５１
【発明の概要】
【発明が解決しようとする課題】
【０００５】
本発明では、従来の立礼席を構成する卓子や椅子も含め、特に前記の比較的大型の立礼席を構成する卓子や椅子について、その主要構成材に木材や畳の使用が想定されているため、安価に使い捨てるような利用に適さず、一時的イベントや家庭での普及が進んでいないという問題点に注目した。従来、手軽に茶事を開催したいニーズがある場合は、点前の方を簡略化して対応することが常識であり、座式に近い点前で本来の茶事を開催することを可能にする前記の比較的大型の立礼席を構成する卓子や椅子の方をより手軽に利用できるものへと改良するという方向での技術開発は進んでいなかった。
【０００６】
本発明は、その比較的大型の立礼席の使用感を維持あるいは向上させつつ、製造コストを抑え、容易に廃棄、リサイクル可能な素材で主要部分を構成することで、安価に使い捨てることが可能な比較的大型の卓子や椅子を有する立礼席を提供し、上記従来技術の問題点を解決することを課題とする。
【課題を解決するための手段】
【０００７】
本発明では、板状段ボールから垂直材・水平材を一体形成するL形部を持つ門型やT字型、あるはそれらの複合型部材を複数枚切り出し垂直に配し、それぞれ垂直材となる箇所において２部材を平面視で直行するように互いに上下から嵌め合わせ接合することで、垂直材部と水平材部が一体化した４カ所以上の垂直材部を有する脚部を構成し、また脚部の水平面内方向の変形を防止するために、同じく板状段ボールから切り出した中間部を、脚部の上端に嵌め合わせ接合し、その上部に点前に使用する各種の道具を載置する天板部を固定するという構成手段を用いた。これにより板状段ボールの軟弱な面外方向の曲げ耐力に期待することなく比較的大きな面内方向の変形に対する耐力に期待するかたちで、脚部の各垂直材部を形成する箇所において直交する３平面方向について剛接合が実現し、天板に４本の脚が剛接合されている一般的な４本脚のテーブルと同様の脚入れ空間を確保可能な形状を有しつつ卓子全体の横揺れやがたつきが抑えられる本発明が実現した。このように卓子の使用感を維持しつつ、段ボール以外の素材を用いた最上面の畳部を除き、木材に比較して材料強度が極端に弱い段ボール部材のみを用いて卓子を構成することが可能となった。段ボール部材は全て既成の板状段ボールから切り出したままのものを使用できる構成となっているので、木材を用いる場合と比べて圧倒的に安価に製造することが可能となるとともに、畳部以外の全ての部材を資源ゴミとして容易に廃棄、リサイクルすることが可能であり、安価に使い捨てることが出来る性能の獲得という課題が解決された。
【０００８】
またこの中間部は、天板部を設置する基台の機能とともに、積載荷重の脚部への均等な伝達、脚部の外側に天板部を張り出す持送りの機能も担っており、上面が畳に擬する素材でできた畳部を有する天板部を、中間材を介して脱着可能な状態で固定することで、脚部の脚入れ空間確保の必要から定まる脚部部材の位置に依存することなく天板部を任意の箇所で分割することが可能となった。これにより、本来の座式の点前における畳目地の箇所で天板部を分割することが可能となり本来の座式の点前における畳目地を再現できるとともに、本来の畳目地以外の箇所において分割することにより生じる目地を生じさせない構成が可能となった。さらに中間部を介して天板部を脚部側縁部より外側へ持ち送ることが可能となり、使用者は使用時に天板部側縁から内部にセットバックする脚部の大部分や中間部材を視界に入れることなく、天板部上面の畳と畳の目地、畳縁のみに意識を集中させることが可能となった。従来、点前座と客座を一体化させ最上部を畳または畳表とした立礼席の卓子は、その分解のための構成に由来して、本来の畳目地以外の箇所に接合部分が作る目地や、外枠が現れ、それが本来の位置にある畳の縁や畳の目地以上に明確に知覚されることで、茶室で行われる伝統的な茶事の雰囲気を損なうという問題点があったが、上記の構成によりこれらの問題点が解決し、加えて脚部の外観に現れる段ボール素材を可能な限り視界に入れずに茶事を開催できるため、木や特別な塗りが施されたような高級な立礼席と比較した場合に段ボールが持つ安物、廃材などといったネガティブな印象を与えるという問題点も改善することが出来た。
【０００９】
さらに、畳部分については、防水性がある畳に擬態する合成樹脂製床シート材に畳縁を添着したもの用いることで、イグサ製の畳や畳表、あるいは紙製畳を用いるよりも製造コストを抑えることができたとともに、防水性能を有するため、容易に汚れを除去できる性能を得た。従来、前記比較的大型の立礼席の卓子の最上部の畳部分は、食事をし、酒を飲み、茶を点て、茶を飲むという茶懐石に含まれる一連の用途にも使われるため、従来の畳や畳表では防水性に欠け一度使用程度の軽微な汚れすら容易に除去できないという問題点があったが、この構成により改善した。
【発明の効果】
【００１０】
近年、外国人や未経験者の体験的な茶事への参加、あるいは経験者においても畳に座することに慣れていない世代や足腰が弱った高齢者の増加により、椅子に腰掛けて立礼式の茶事を開催することが増えている。しかし従来、大きな茶道教室やホテルなどを除いて、場所を借りて行う一時的な教室やイベント、また家庭においては、その高価な価格や使用後の収納場所の問題から、前記の比較的大型の卓子を有する立礼席の使用は浸透しておらず、比較的小型の卓子を有する立礼席や、ローテーブルに毛氈を敷いた物などを代用し、伝統的な茶事の形式を採らない略式の点前の茶事が開催されることが多く、簡略化しない座式の点前で伝統的な茶事が開催する機会が極端に減少していた。
【００１１】
このような状況に対して、本発明によって、簡略化しない座式の点前で伝統的な茶事を開催できる立礼席でありながら、安価に使い捨てることが可能な性能を有する使い捨て立礼席を提供することにより、これら問題を解決し、これまで限られた者しか体験できなかった茶懐石を含む伝統的な本来の茶事を、一時的なイベントや一般家庭においてもより手軽に体験することが可能となった。
【００１２】
茶事の面白さとその本質は、簡略化しない座式の点前で行う伝統的な茶事にあり、これを手軽に体験できる使い捨て立礼席の発明は、茶事という日本の伝統文化をその本来の姿で継承、普及、定着させるのに大きな効果をもたらすに違いない。
【図面の簡単な説明】
【００１３】
【図１】一実施例の使い捨て立礼席で、炉を設けた卓子部１０ａと椅子部４０からなり、卓子部１０ａの炉部分には既製品の炉縁と金属製炉壇を設置した使用状態の形態を示す斜視図である。
【図２】図１に示す使い捨て立礼席の卓子部１０ａからなる一実施例の使い捨て立礼席の脚部の構成を示す分解斜視図である。
【図３】図２に示す一実施例の使い捨て立礼席の一部部材を置き換えることで、炉を使用せず風炉使用に対応可能となった一実施例の使い捨て立礼席の脚部の構成を示す分解斜視図である。
【図４】図２に示す使い捨て立礼席の中間部と天板部の構成を示す分解斜視図である。
【図５】図３に示す使い捨て立礼席の中間部と天板部の構成を示す分解斜視図である。
【図６】図２に示す使い捨て立礼席の使用状態の平面図である。
【図７】図２に示す使い捨て立礼席の使用状態での断面図である。
【図８】図３に示す使い捨て立礼席の使用状態での断面図である。
【図９】図１及至図８に示す使い捨て立礼席または使い捨て立礼席の卓子部の畳縁部分の取り付きの一実施例の形態を示す詳細断面図である。
【図１０】図１、図２、図４、図６、図７に示す炉使用時の使い捨て立礼席または使い捨て立礼席の卓子部の炉縁と炉壇を設置する一実施例の炉設置部５０の構成を示す分解斜視図である。
【図１１】図３、図５、図８に示す炉不使用時の使い捨て立礼席または使い捨て立礼席の卓子部において、図１０の部材１８１ａ、１８３ａに代えて使用する部材の構成と構成を示す分解斜視図である。
【図１２】図１に示した使い捨て立礼席の椅子部の一実施例の椅子の構成を示した分解斜視図である。
【発明を実施するための形態】
【００１４】
図1は一実施例の使い捨て立礼席の使用状態を示す斜視図で、炉２１を設けた一実施例の卓子部１０ａ、あるいは炉２１を設けない卓子部１０ｂ（後述するように１０ａの一部部材を変更することで炉２１を設けない一実施例の卓子部１０ｂを構成することが出来る。卓子部１０ｂの実施例は図３に示す椅子を有しない立礼席の一例と同一である。以下同じ）と、客用椅子３９を５脚と主人用椅子４５を１脚からなる一実施例の椅子部４０からなる。なお一実施例の卓子部１０ａ（あるいは１０ｂ）と既製品の椅子を組み合わせてなる使い捨て立礼席や、一実施例の椅子部４０と既製品の卓子と組み合わせてなる使い捨て立礼席も可能で、多様なユーザに対応する汎用性が高く、ユーザ側の負担を最小限にする構成を選択し使い捨て立礼席を実施することが出来る。
【００１５】
炉２１は茶室の寸法体系を基準に規定の寸法で作られた既製品の炉縁３７と同じく既製品の金属製炉壇３５を、図１０に示すとおり一実施例の炉設置部５０に上部から嵌め合わせて構成する。これらの取り付け取り外しは自在であり、これら既製品を含め使い捨て立礼席とセットで販売する形式、またはこれら既製品を別途で購入し使い捨て立礼席と組み合わせる形式、あるいは既製品の炉縁や金属製炉壇はユーザ側で保有するものを使用できる可能性が高いため、すでにユーザ側で保有するものを使い捨て立礼席と組み合わせる形式で使用可能状態の立礼席を構成することが可能である。炉２１についても、汎用性が高く、ユーザ側の負担を最小限にすることが可能な構成となっている。あるいは使い捨て立礼席の手軽さという特性を生かして、茶事に必要なその他の茶道具もセットした販売形式もありうる。
【００１６】
卓子部１０ａ（あるいは１０ｂ）と椅子部４０を構成する素材は、炉縁３７と金属製炉壇３５、畳に擬する合成樹脂製床シート材２と畳縁４、また図１２に示す椅子台座部１９７を除き、全て板状段ボール製で、金属あるいはプラスチック製接合部材を必ずしも必要とはせず、安価また容易に廃棄、資源ゴミとして分別リサイクルすることが可能である。
【００１７】
なお板状段ボール以外の素材に関して、図１２に示す椅子台座部１９７は椅子に着席する使用者の体重を均等に椅子脚部４３の上端面に伝えるために必要なものである。畳に擬する合成樹脂製床シート材２は、天板部９０ａ（あるいは９０ｂ）の畳部８０ａ（あるいは８０ｂ）に用いて、茶事に使用する各種道具を載置するために使用する。同材は防水性能を有するので、従来の畳製品よりも、茶懐石を含む茶事で生じる抹茶のシミやその他飲食物によるシミを容易に拭き取ることが出来る利点がある。
【００１８】
閉断面を作るための接合に接着剤を必要とする図１０に示す炉壇支持台１７７と図１２に示す椅子脚部４３を除き、使い捨て立礼席を構成する全ての段ボール部材は、板状段ボールから切り出したままの部材を使用し，その部材同士を互いに脱嵌可能な状態で嵌め合わせて使用するため、圧倒的に安価かつ容易に部材製造が可能である。
【００１９】
また使い捨て立礼席の卓子部１０ａ（あるいは１０ｂ）は、畳部８０ａ（あるいは８０ｂ）での接着接合や縫着接合を除き、部材同士を嵌め合わせて全体を構成するため、部材同士の接合に接続器具又は工具、あるいは接着剤は不要である。そのため比較的大型となる使い捨て立礼席においても、女性一人で、細かく分解、また組立が可能で、さらに各部材の嵩を低く抑えているため一般的な自家用乗用車で搬送可能な程、高い取り回し性能を有することも使い捨て立礼席の特徴である。
【００２０】
卓子部１０ａ（あるいは１０ｂ）の平面形状については、本実施例のように客畳５、７、９を持つようなものや、炉畳１ａ（あるいは１ｂ）と点前畳３で構成されるもの、または、炉畳１ａ（あるいは１ｂ）に図６の点前スペース１２５部分のみを追加したもの、あるいは、炉畳を半分に分割し炉を有する部分のみ構成したものなどが公知技術として知られているが、後述するように本発明の技術を使用することで部材形状や部材数について軽微な設計変更を加えるのみで任意の平面形状に対応した使い捨て立礼席を構成することが可能である。
【００２１】
卓子部１０ａ（あるいは１０ｂ）使用時の外観形状は、その最上面を構成する炉畳1ａ（あるいは１ｂ）、点前畳３、客畳５、７、９からなる畳部８０ａ（あるいは８０ｂ）が平面視で脚部１２より外側に張り出し、張り出した先の側端外周部には外枠が存在しないことを特徴としている。これにより脚入れスペース３３が拡張されると共に、使い捨て立礼席使用時の使用者の視界から脚部１２の大部分が畳部８０ａ（あるいは８０ｂ）に隠れるため、脚部に現れる段ボール素材を可能な限り視界に入れずに茶事を開催でき、木目や塗りが施された従来の高級な立礼席と比較した場合に段ボール素材が持つ安物、廃材などといったネガティブな印象を、視覚を通じて与えるという懸念も減少した。さらに上面は畳部８０ａ（あるいは８０ｂ）と炉２１以上に使用者に強く知覚される外枠や組立の構成に由来して生じる本来存在しない目地、あるいはその他部材が存在しないため、従来品より圧倒的に安価でありながら、従来品よりもさらに茶室に近い雰囲気のなかで茶事を実施することが可能な構成となった。
【００２２】
使い捨て立礼席は、図２の一実施例が示すとおり、４方向に脚入れスペース３３を確保する必要がある場合が多く、その形状は垂直材（脚）と水平材（天板）が剛接合された一般的な4本脚テーブルの形状とすることが最も理想的である。しかし、このような一般的テーブルを構成する垂直材と水平材の接合部分には応力が集中するため、材料強度が極端に弱い段ボールでは、木製や金属製の公知テーブルのものと同様の構成で耐荷重性や使用感に直結する横揺れを抑える剛性を確保することは困難である。
【００２３】
そのため本発明では、垂直材・水平材を一体形成するL形部を持つ板状段ボール製の脚部部材、本実施例ではL型部を左右両端に一つずつ持つ門形脚部部材５５、５９、６１と、L型部を中央に二つ持つT型脚部部材６５、６７、６９、これらの組み合わせで二つ以上L型部を持つ複合型脚部部材５１、５３、５７、６３を、板厚方向が地面と水平になるように部材を垂直に立てて使用し、それぞれの板状段ボールと同一平面内方向の変形に対する垂直材と水平材との接合部分の剛接合を利用する構成とした。
【００２４】
そしてこれらを垂直材となる箇所において、それぞれ２部材を平面視で直行するように互いに上下から嵌め合わせ接合するように、５１、５３、５５、５７、５９、６１、６３、６５、６７、６９という順番で垂直方向上から各部材の下部と上部に配したU字型に切り欠いた接合部同士を合わせて脱嵌可能な状態で跨嵌接合し、同様の方法で互いに水平材を介して接続する形で４カ所以上の垂直材部を構成することで、垂直軸（ｚ軸）と直交し互いに直交する２軸（ｘ軸、ｙ軸）をそれぞれを含む２平面（ｘｚ平面、ｙｚ平面）内方向の変形に対して、それぞれ一体形成された垂直材と水平材を有する板状段ボールの面内方向の変形に対する剛性を利用した、剛接合を有する脚部１２を構成した。
【００２５】
しかし脚部１２の水平面（ｘｙ平面）内方向の変形については各部材の交差部において平面視でピン接合状となっているため、脚部上端に、図４に示す中間部１００の一つの部材（例えば１０５）に対して二つ以上の脚部に設けた凸部の総数が三つ以上となり、かつ、脚部部材の水平材の面外変形を防止する程度に密に配し、中間部１００に穿たれた接合穴に嵌入することでこれと接合し、中間部１００を使用した平面トラスを形成することで、脚部１２の垂直方向と直交する水平面（ｘｙ平面）内の変形を抑える構成とした。このとき、各接合部をピン接合と想定し、凸部部材のねじり耐力に期待せず、中間部部材の面内方向の変形に対する耐力に期待している点が特徴であり、横方向の力に対する横揺れに強い構成となっている。
【００２６】
これにより板状段ボールの軟弱な面外方向の曲げに対する耐力に期待することなく比較的大きな面内方向の変形に対する耐力に期待するかたちで、脚部の垂直材部を形成する箇所において直交する３平面方向について剛接合が実現し、天板に４本の脚が剛接合されている一般的な４本脚のテーブルと同様の脚入れ空間を確保可能な形状を有しつつ卓子全体の横揺れやがたつきが抑えられる構成となった。なお四角形状の天板を持つ使い捨て立礼席の場合は、上記一般的な４本脚テーブルに近い形状を有することになる。また脚部１２を直交ではなく６０度の角度で交差させることで３本脚テーブルを基本形としてとすることも可能で、この場合水平面方向については平面トラスが形成されているが、脚部の水平材部の面外変形を押さえる観点から同様に中間部を用いる方が横揺れの抑制に効果的である。
【００２７】
卓子部１０ａ（あるいは１０ｂ）に加わる鉛直荷重は、まず中間部１００に伝わり中間部１００から脚部１２の組立状態での最上面（垂直材部最上面、水平材部最上面）から脚部の垂直材部に伝わり脚部の垂直材部の最下面の接地部分で反力を受けることで釣り合い、全体が静止している。また水平方向の力については、まず中間部１００に伝わり中間部１００から後述する脚部１２の部材の上端に設けた凸型部分を介して脚部１２に伝わり、脚部１２の垂直材部の最下面の接地部分の摩擦力による反力を受けて釣り合い、全体が静止している。
【００２８】
脚部１２と中間部１００との接合方法に関しては、組立後に分解する必要が無ければ接着材を用いる方法、接合部品を用いてより強固に接続する方法もあり得る。この場合は脚部１２に嵌め合わせ接合のために設けたU字型の切り欠き部分を補強することが効果的である。しかし接合方法に依存せず、上記構成により脚部全体に応力を分散させることが出来るため、材料強度の弱い板状段ボール素材を用いて、耐荷重性と共に使用感に直結する横揺れを抑える剛性も併せ持つ卓子部１０ａ（あるいは１０ｂ）を実施することが可能となった。
【００２９】
上記の構成を採用すれば、木材や金属以外の素材においても段ボールと同等かそれ以上の材料強度があるものなら置き換えることが可能である。逆に本発明の段ボール素材を金属や木材、合成樹脂等に置き換える場合はより恒久的な使用に耐えることが可能である。また紙製の段ボールに替えてプラスチック製段ボールを素材とした場合は、雨天時の屋外使用にも対応可能となる。なお脚部１２を構成する段ボールの目の方向はより耐座屈性能が高い方向が垂直方向となるように使用している。
【００３０】
上記の脚部１２の部材の上端に設けた凸型部分は、同凸型部分を中間部１００に貫穿された貫通孔に嵌通させることで脚部１２と中間部１００との接続部を構成し、さらに中間部１００より上面に突き出した同凸型部分を、天板部下面に設けた凹欠部に嵌入することで脚部１２、中間部１００、天板部９０ａ（または９０ｂ）との接続部を構成する。同凸型部分の平面視での形状は細長い長方形状でその短辺の長さは脚部部材の板厚と同一であり、脚部部材を板状段ボールから切り出す際に同時に形成されるものである。
【００３１】
その中間部１００に貫穿された貫通孔の平面視での形状と天板部下面に設けた凹欠部の平面視での形状は、上記凸型部分の平面視での形状とほぼ同一とする。上記凸型部分を構成する際、必ずしも必要ではないが、脚部に設けた同凸型部は、複数回の組立・分解作業における接合部の脱着作業において、その端部が変形することが懸念されるため、同凸型部の先端部分の段ボール断面の段ボール構成材である波板が作る段ボールの目の箇所に硬化性の接着材を注入することで、同凸型部を補強することができる。
【００３２】
なお、より強固な接続を実現するために、同凸型部分の平面視での形状と比較して、中間部１００に貫穿された貫通孔の平面視での形状と天板部下面に設けた凹欠部の平面視での形状を、その長方形の短辺部分の長さが短くなるようにすることで、同凸型部の板状段ボールの板厚方向の弾性力を利用した摩擦接合を構成することが可能である。この際上記の接着材における凸部の補強は、その先端部の板厚を中間部１００に貫穿された貫通孔の平面視での形状と天板部下面に設けた凹欠部の平面視での形状の長方形短辺の長さと一致させるように、板厚方向の両側から圧力を加え変形した状態で行う。
【００３３】
長尺となる脚部部材５１、５３は、それぞれにヒンジ部５２、５４を設けて、折りたたみ可能とすることができる。これにより使い捨て立礼席の卓子の平面形状によらず、一般的な自家用乗用車での運搬が可能となる。この場合ヒンジ部５２、５４のそれぞれに近接させてその両側に中間部と接合する凸型部を配して面外への変形を抑えることができる。このヒンジ部は長尺脚部部材を切り出した板状段ボールのヒンジ作成箇所を板厚方向の両側から組立状態での垂直方向に一直線状に圧して作成するか、二つ以上の脚部部材同士を同様の方法で独立して作成したヒンジ部に接着して長尺脚部部材を構成することが可能で、これにより使い捨て立礼席の平面形状によらず分解時の搬送性の高さは確保される。この性能は収納性の高さにも関係する。
【００３４】
使い捨て立礼席の卓子脚部の基本形は天板に４本の脚が剛接合されている一般的な４本脚のテーブルであることは上記で述べた。本発明では図２の脚部１２の右側に形成された脚部部材５１、５３、５９、６１が作る閉四角形平面部分のように、上記の門形脚部部材４枚を用いてその基本形を構成することができる。本実施例ではそれら基本形に対応する平面と比較して平面積が大きく４本脚では耐荷重性が満たされないため、図２の６７、６９のようにT型脚部部材を追加し、脚入れ空間を邪魔しないようテーブル中央部でその垂直材部分を互いに直交させ５本目のテーブル脚を形成させることで、脚入れ空間の確保と、耐荷重性の向上を実現している。
【００３５】
さらなる耐荷重性が必要な場合は、T型の脚部部材を二つ以上組み合わせて下駄状脚部部材を形成するなどして、同様の方法で脚入れ空間を邪魔しない箇所に、６本目、７本目のテーブル脚を追加していくことが出来る。また図２の脚部１２の左側に形成された脚部部材５１、５３、５５、５７が作る閉四角形平面部分の様に、４方向に脚入れ空間を必要としない場合は、脚入れ空間が不要な箇所に門形脚部部材の水平材の箇所に垂直材を追加し、それに合わせて、前記T型の脚部部材もM型の脚部部材に置き換えて、上記と同様の方法で同時に３本のテーブル脚を追加することが出来る。また脚部１２を構成する各部材についても垂直材また水平材の断面積を、脚入れスペースを邪魔しない範囲で、あるいは使用時に使用者の知覚的な畳部への集中を邪魔しない範囲で、断面形状における長辺方向の長さを調節するか、あるいは板厚を操作することである程度調整可能で、この方法で必要な部材耐力を得ることもできる。
【００３６】
茶事においては炉を使用する時期と使用しない時期があるため、一つの製品で両方に対応することが必要である。図２の一実施例の使い捨て立礼席は炉使用時の構成を示し、これに対応する炉不使用時の構成を図３に示す。両者を比較すると、図４、図５に示すように炉部分以外では、炉使用時の天板部９０ａの２部材１ａと８５ａ、炉不使用時の天板部９０ｂの２部材１ｂと８５ｂ、に違いがあり交換が必要であるが、その他の部材は同一の物を使用することができる。
【００３７】
炉使用時の組立方法は、図２に示すとおり、脚部１２を組み立てた後、炉設置部５０を脚部部材５１、５３、６７、６９で構成された閉四角形平面部分に、炉設置部５０の外側に張り出している炉設置部構成材１８１ａ、１８３ａの両端部下側に設けられたU字型の切り欠き部分と脚部部材５１、５３、６７、６９の上端に設けられたU字型の切り欠き部分とを合わし上から嵌め込み接合し設置する。この炉設置部構成材１８１ａ、１８３ａと脚部部材５１、５３、６７、６９の接合は炉設置部50の水平位置を定める役割がある。炉設置部50を脚部12と組み合わせた後は、中間部１００と炉設置スペース１１３を切り取った天板部９０ａを順に上から嵌め合わせる。その断面は図７に示すとおりである。
【００３８】
この炉の詳細は図１０に示す通りである。炉設置部構成材１８１ａ、１８３ａは炉設置台１７７と炉接合部補強部材１７９と共に嵌め合わせ接合され、炉設置部構成材１８１ａ、１８３ａの中央部の上端と炉設置台１７７の上端が共に金属製炉壇３５のフランジ部下面と接面する。このため金属製炉壇３５とその上に載置する炉縁３７、使用時に金属製炉壇３５内に設置される灰、炭、五徳、電気炉の場合は電熱器、釜、また釜内部の水による鉛直荷重の大部分は、炉設置台１７７で受ける構成となっている。なお炉設置部構成材１８１ａ、１８３ａのそれぞれの両端上部に凸部が設けられているが、これは金属製炉壇３５と炉縁３７の水平位置を固定するために設けたものである。その断面は図７に示すとおりである。
【００３９】
上記の金属製炉壇３５と炉縁３７の平面視での形状はほぼ決まっており既製品の多くはその寸法に従って形成されている。しかしその断面の高さ方向の寸法については、深く炉を掘るスペースがないマンション等での使用を想定して、約半分の高さに省略した置炉と呼ばれるタイプが作られている。炉設置台177と炉設置部構成材１８１ａ、１８３ａの高さ方向の寸法を変更するのみでこれらに対応することが可能である。
【００４０】
なお炉設置台１７７は、縦の幅が床面から銅製炉壇外周フランジ部の下面までの高さとなる横方向に長い板状段ボールを縦に４カ所谷折りし略四角形の閉断面を形成した筒状の部材で、炉設置部構成材１８１ａ、１８３ａをこれに嵌め合わせ、金属製炉壇３５と炉縁３７を設置することで、平行四辺形に変形するのを防いでいるが、これらを取り外せば、平行四辺形状に変形し、ほぼ一枚の板となるまで嵩低くたたむことが可能であり、運搬や収納という観点で利点がある。
【００４１】
炉不使用時の組立方法は、図３に示すとおり、脚部１２を組み立てた後、天板部を支える部材１８１ｂ、１８３ｂを、脚部部材５１、５３、６７、６９で構成された閉四角形平面部分に、炉使用のために設けたものと同一の脚部部材５１、５３、６７、６９の上端に設けられたU字型の切り欠き部分に上から嵌め込み組み合わせる。天板部を支える部材１８１ｂ、１８３ｂと脚部１２と組み合わせた後は、中間部１００と炉設置スペース１１３を塞いだ天板部９０ｂを順に上から嵌め合わせる。その断面は図８に示すとおりである。なお天板部を支える部材１８１ｂ、１８３ｂの構成は図１１に示す。
【００４２】
上記の炉設置部構成材１８１ａ、１８３ａ、または天板部を支える部材１８１ｂ、１８３ｂと脚部１２の接続は、５本目のテーブル脚を形成するT型の脚部部材６７、６９とも接続したが、本実施例以外に、門形脚部部材4枚を用いて４本のテーブル脚を持つ使い捨て立礼席を構成する場合は、門形脚部部材にのみ嵌め合わせる構成となる。
【００４３】
上述の通り、中間部１００を複数パーツに分解する構成とする場合は、それぞれのパーツにおいて２以上の脚部に跨がり、２以上の脚部に配された３以上、かつ、脚部部材の水平材部分の面外変形を防止する程度に密に接合部を設ける必要があるため、脚部の配置により少なからずその分割方法に制約が加わる。一方で畳部と天板構造部からなる天板部９０ａ（あるいは９０ｂ）は、使い捨て立礼席の最上面に、本来の茶室通りの位置に畳を敷き詰めた時に出来る目地を再現するために、目地位置で分割できる構造とし、それ以外の箇所では分割しないようにするという制約が加わる。
【００４４】
すなわち、中間部に直接畳に擬する素材を貼り付け、それを天板部とすれば、中間部は不要のようであるが、その構成の場合、本来存在しない分割線による目地が天板部に入ることとなり、茶室における茶事のような本格的な雰囲気を損なうことになる。反対に、天板部の分割形状に従ってその下部に中間部を貼り付け、それを天板部とすれば、中間部は不要のようであるが、その構成の場合、脚部１２のｘｙ平面内の変形を抑える接合部を作ることが出来ない可能性や使い捨て立礼席の平面形状によっては、脚部上に安定構造物として天板部を組み合わせることが出来ない可能性がある。あるいは、中間部を分割せず一体構造としその上面に茶室における畳が作る目地に従い分割した天板部を貼り付けたものを天板部とするか、中間部と天板部のそれぞれの分割箇所の条件が適合する箇所での分割のみに制限する方法もあり得るが、前者は使い捨て立礼席の平面形状が大きい場合、天板部材の運搬や収納に支障があり、後者も二重の制限が加わり分割の自由度が低く同様に分解時の運搬や収納に支障が出る可能性が大きい。
【００４５】
そこで図４、図５に示すように中間部１００を天板部９０ａ（あるいは９０ｂ）から独立させて、天板部の積置台としての機能も担うように中間部を設けることで、脚部位置により定まる適切な箇所で中間部を分割することが可能となり、かつ、脚部位置とは無関係に、茶室の畳が作る目地に従い天板部を分割することが可能となった。これにより脚部のｘｙ平面内方向の変形を抑えることと、茶室における茶事の雰囲気の再現が両立し、また任意の平面形状においても、組立・分解可能で搬送・収納にも適した使い捨て立礼席を構成することが可能となった。
【００４６】
本実施例の天板部９０ａ(あるいは９０ｂ)において、畳部部材１ａと天板構造部材８５ａ（あるいは畳部部材１ｂと天板構造部材８５ｂ）、畳部部材３と天板構造部材８１、８３、畳部部材５と天板構造部材８９、畳部部材７と天板構造部材９１、畳部部材９と天板構造部材８７は、使い捨て立礼席の組立前に接着しておくことを想定している。天板構造部材８５ａ（または８５ｂ）、８１、８３、８７、８９、９１には脚部１２に設けた凸部が中間部の貫通孔を抜けて嵌入する凹欠部を有し、これを接合部として脚部、中間部、天板部が接合されることになる。天板部と中間部の接合方法はこれ以外の例えばマジックテープ（登録商標）やボタン類による脱着可能な接合方法を用いても良い。どちらにせよこのような接合方法を採用すると、畳部外周部に外枠を設けて畳部や天板構造部材の水平位置を固定する構造的な必要はない。
【００４７】
上記外枠に関しては、上記の他、天板部や中間部といった水平材の小口隠しの役割や、着衣物が小口に擦れることで繊維を傷めるのを防止する役割という意味での必要性が想定される。しかし、前者については、天板部を構成する畳部が約３mm厚程度の合成樹脂製床シート材を利用するためその断面積が小さく、畳部上部への知覚の集中を大きく阻害するものではないこと、また図７、図８の断面図に示すように畳部は天板構造部材よりも約３mm外側に張り出した状態で天板構造部材と接着され、さらに畳部は中間部からも約２３mm外側に張り出した状態で接合される構成になっていることから、使用時の使用者の視点からは、畳部の約３mm厚程度の合成樹脂製床シート材の断面が視界に入るだけで、その他天板構造部材や中間材の小口が視界に入ることはなく、小口隠しは不要な構成となっている。また後者については、畳部の合成樹脂製床シート材の小口の上下の端部を曲面で面取りすることで解決し、外枠が不要な構成を実現した。
【００４８】
また、畳部部材３と天板構造部材８１、８３の接着は、他の畳部部材と天板構造部材との接着とは異なり、天板構造部材が２部材からなっており、天板構造部材８１と天板構造部材８３は互いに接着されていない。これは合成樹脂製床シート材の畳部部材３に天板構造部材８１と天板構造部材８３の境界部分付近でヒンジを形成させることで、比較的大型となる畳部部材３を畳部上面が谷になるように折りたたむことが出来るようにするためである。これについては約３mm程度の厚を有し床材として使用するためのクッション材部分が一体形成される畳に擬する合成樹脂製床シート材を用いることで可能となる。これにより畳部上面に、本来の茶室の座敷には存在しない畳部３を分割構成にすることにより生じる接続目地を生じさせないようにしている。なお畳部部材３のヒンジ部は折り目が残らないように４ｃｍ程度の円を内接した状態でU字型に曲げることが出来るように、畳部部材３と天板構造部材８１、８３の接着は、天板構造部材８１と天板構造部材８３の境界部付近は境界部からそれぞれ５ｃｍ程度の幅で、接着しない部分を設けている。
【００４９】
畳部８０ａ（あるいは８０ｂ）は、畳に擬する合成樹脂製床シート材２に畳縁４を添着することで、茶室における畳の配置を再現している。本実施例では図９に示すように、繊維製の畳縁材１５１に畳縁下紙１５３を重ねて使用し、畳縁の見つけ幅で折り返し、畳縁部分表面に畳縁材１５１が現れるようにし、同時のその折り目位置で、縫着材１５７で合成樹脂製床シート材２と縫着している。そして畳部端部を包むように折り返し、畳に擬する合成樹脂製床シート材２の下面と天板構造部８２ａ（あるいは８２ｂ）の上面で挟み接着剤等で接着固定している。なお天板構造部８２ａ（あるいは８２ｂ）を用いない場合は端部を粘着テープ類で固定することができる。
【００５０】
ここで約３mm程度の厚を有し床材として使用するためのクッション材部分が一体形成される畳に擬する合成樹脂製床シート材を用いることで、同シート自体に重みがあるため、吸湿により天板構造部８２ａ（あるいは８２ｂ）にそりを生じさせる応力が働いたとしても、同シート材の自重によりそりが抑えられる。また同シート材を構成するクッション材部分が板状段ボールとの間の緩衝材の役割を果たし、茶道具を載置する際に生じる段ボールの上に物を置いたときの安っぽい音や感触が使用者にダイレクトに知覚される懸念が無くなり、別途畳床材を組み合わせる必要はない。この他、畳縁部分が畳面より過剰に浮き上がるか、または膨らむ場合は、上部から押圧し、畳縁部分下部の天板構造部８２ａ（あるいは８２ｂ）を塑性変形させるのみで、本来の畳に近い適切な畳部表面を形成できる。このような方法を用いることで、使用感の向上と製造コストの大幅な削減を両立している。
【００５１】
上述の通り、天板部９０ａ（あるいは９０ｂ）には外枠が無く、また脚部との接続部も天板部下部の凹欠部が設けられるのみであるため、中間部以外の平滑な面に載置することも可能である。そのため既存のテーブルと椅子のセットにこの天板部のみを使用して簡易立礼席を構成するという利用も可能である。この天板部表面には、畳縁をもつ畳部が設けられており、茶室における茶事に必要な空間要素を容易に再現可能である。伝統的な茶事における座式の点前は畳縁を基準に主人の領域、客人の領域といった空間の意味づけが与えられており、脚部１２や客用椅子３９を使用しないため最適な方法ではないが、作法に則った茶事の進行をより手軽に行えることの利点は大きい。これは天板部から畳部のみを分離し使用しても同様の効果が期待できる。
【００５２】
図１２に使い捨て立礼席の客用椅子３９の詳細を示す。使い捨て立礼席の椅子は、縦の幅が凡そ椅子座面高さになる横方向に長い板状段ボールを縦に４カ所谷折りし形成する略四角形の閉断面を持つ椅子脚部４３と、椅子脚部４３の上端に接し椅子座面部１９９からの荷重を椅子脚部に均等に伝える段ボールに比較して材料強度が高い木材または合成樹脂製の椅子台座部１９７、椅子台座部１９７の下面に凸接し、椅子脚部４３の内側に嵌脱可能な状態で挿嵌し、椅子脚部４３の断面が平行四辺形に変形することを防止するとともに、同時に椅子台座部１９７の水平方向の位置を固定する椅子接合部１９５を持ち、椅子台座部１９７の上面に椅子座面部１９９、椅子座面部１９９の上面に畳に擬する合成樹脂製床シート材２を接着したもので構成されている。客用椅子３９を構成する部材の内、畳に擬する合成樹脂製床シート材２と椅子台座部１９７以外は板状段ボール素材とすることが可能で、安価に製造できると共に容易に資源ゴミとして廃棄、リサイクルすることが可能である。また同客用椅子３９は椅子脚部４３とその他の部分に容易に分解、組み合わせすることが可能である。椅子脚部４３は平面視で頂点がピン接合された四角形状と同等であるので、四角形から平行四辺形の筒状に変形でき、さらにほぼ一枚の板となるまでたたむことが可能で、嵩が小さくなるため、運搬や収納に利点がある。椅子脚部４３を中空の筒状にまで簡略化できるのは、椅子台座部１９７の曲げ剛性力に寄るところが大きい。なお主人用椅子４５も平面形状が正方形となるだけで、上記客用椅子と同様の方法で構成されている。
【００５３】
本実施例で用いる板状段ボールは、単層板状段ボールを一枚、または複数枚重ねた物、あるいは多層段板ボールを一枚、または複数枚重ねたもの、あるいはそれらを組み合わせたのもを想定しているが、使用済みの箱形段ボールを解体し、板状部材を切り出し、切り出した小片を接着剤で貼り合わせ本実施例と同一形状に成型した部材を用いることもできる。この場合段ボールの目の方向は、単層段ボール、又は積層段ボールを用いる場合と同様に、縦型材は目の方向が縦になるように、また一直線上に目地が重なり曲げ強度が極端に弱くなる箇所を作らないように小片を集成する。なお吸湿により生じるそりを生じさせる応力は、中間部１００については、脚部１２の部材の上端に設けた凸型部分と中間部１００に貫穿された貫通孔とで構成される接合部によりある程度抑えられるが、なるべく既製品の板状段ボールを接着剤等で貼り合わせず使用することでそりを抑えることが出来る。これは脚部１２についても同様である。脚部部材同士は互いに脱嵌可能な状態で跨嵌接合されるため、必要断面積が得られるまで各板状段ボールを適宜接着接合しない状態で重ねて使用することが出来る。例えば２mm程度の板状段ボールを複数枚重ね合わせて使用することも可能である。この場合，使用者において制作、加工することも容易である。
【００５４】
本来の茶室は身近に手に入る材料を使って質素に作ることで茶の湯独特の詫び寂びといった美意識を表現していたのであり、その審美眼から考えても、現代社会にあふれている段ボール素材を有効活用した使い捨て立礼席は茶の湯の美意識を踏まえた制作物であるといえる。他方で使用済みの箱形段ボールには企業名の表示があることが多く、部材成形時にその表示を認識できるようにすれば、企業広告を兼ねるという使い方も可能である。使い捨て立礼席がもつ日本の伝統文化である茶の湯の雰囲気を国際展示会や一般的なイベント会場などの場に持ち込み商談スペース等として利用するような活用法も想定できる。
【００５５】
本実施例の使い捨て立礼席は複数のパーツに分解可能で、工具無しで組み立てることが出来るという特性をもっている。そのためその販売形式は多用である。つまり組立後の完成品として販売することも可能であるが、分解状態での販売も可能である。あるいは構成部材ごとの販売も可能であり、ユーザ側で部材の交換を行うことも容易である。あるいは板状段ボールを切り出すのみで部材を制作可能である特性を生かして、設計図書のみを販売しユーザがそれをもとに材料を加工し本実施例を制作する形式、家庭用レーザ加工機とともに加工機に切断位置に関する情報を与える部材形状を記録したデジタルデータ、あるいは同データを記録した記録媒体を販売する方法や、あるいは同デジタルデータ、あるいは同データを記録した記録媒体のみを販売する方法もあり得る。
【００５６】
茶事使用を主要目的とせず、使い捨て立礼席の安価に使い捨てることが出来る性能、組立分解が容易で搬送性、収納性に優れる性能のみに注目し、災害時や屋外イベントやキャンプなどの場面で簡易テーブルセットして利用する方法も想定できる。
【符号の説明】
【００５７】
１ａ  炉畳
１b  炉畳(風炉使用時)
２  畳に擬する合成樹脂製床シート材（なお図中の畳目の表現は拡大している）
３  点前畳
４  畳縁
５、７、９  客畳
１０ａ  炉使用時の使い捨て立礼席（立礼席卓子部）の実施例。
１０ｂ  炉不使用時の使い捨て立礼席（立礼席卓子部）の実施例。
１１ａ  天板部９０ａと使用状態において視界に入らない中間部１００  
１１ｂ  天板部９０ｂと使用状態において視界に入らない中間部１００
１２  脚部（５１、５３、５５、５７、５８、５９、６１、６３、６５、６７、６９からなる）
２１  炉
３３  脚入れスペース
３５  金属製炉壇（既製品）
３７  炉縁（既製品）
３９  客用椅子（２、４３、１９１、１９７、１９９からなる）
４０  使い捨て立礼席（椅子部）実施例
４５  主人用椅子
５０  炉設置部（１７７、１７９、１８１ａ、１８３ａからなる）
８０ａ  畳部（１ａ、３、５、７、９からなる）
８０ｂ  畳部（風炉使用時。１ｂ、３、５、７、９からなる）
８２ａ  天板構造部（天板構造部材８１、８３、８５ａ、８７、８９、９１からなる）
８２ｂ  天板構造部（風炉使用時。天板構造部材８１、８３、８５ｂ、８７、８９、９１からなる）
９０ａ  天板部（畳部と天板構造部からなる）
９０ｂ  天板部（風炉使用時。畳部と天板構造部からなる）
１００  中間部（１０１、１０３、１０５、１０７、１０９からなる）
１１１  主人着席スペース
１１３  炉設置スペース
１１５  風炉先スペース
１１７、１１９、１２５  主人点前スペース
１２３  客用スペース
１２４  客着席スペース
１２６  断面線（図７、図８参照）
１５１  畳縁材
１５３  畳縁下紙
１５５  接着剤
１５７  縫合材
【図１】
2020182546.tif 000003
【図２】
2020182546.tif 000004
【図３】
2020182546.tif 000005
【図４】
2020182546.tif 000006
【図５】
2020182546.tif 000007
【図６】
2020182546.tif 000008
【図７】
2020182546.tif 000009
【図８】
2020182546.tif 000010
【図９】
2020182546.tif 000011
【図１０】
2020182546.tif 000012
【図１１】
2020182546.tif 000013
【図１２】
2020182546.tif 000014